(57)【要約】【課題】従来ズボンの前側は、ベルトをしていても、お腹と接触するズボンの周囲に余裕があると、その弛みを後方へ遣ってあっても前の方に弛みが移動してきてズボンの前開き部がずり下がる現象が起きていた。その為にファッション上著しく見苦しかった。【解決手段】バックル本体１のベルト挿入辺Ａに、引っ掛け部８を設け、ズボン本体２１の前開き部側辺２２から、フック等２３の下部へズボン布地を挟むように差し込むとフック等２３が、バックルの引っ掛け部８に引っ掛かる為ズボンの前側でずり下がる現象は解消される。【選択図】  図  １
2004344178.tif 000002
【特許請求の範囲】
【請求項１】
バックル本体１等の裏面のベルト挿入辺Ａ等の適所に、ズボン本体２１の前開き部側辺２２からフック等２３の下部へ差し込む為の、引っ掛け部８等を設けたズボンの前側ずり下がり防止ベルトバックル。
【請求項２】
バックル本体２等の裏面のベルト挟持板１４等の適所にズボン本体２１の前開き部側辺２２からフック等２３の下部へ差し込む為の引っ掛け部９を設けたズボンの前側ずり下がり防止ベルトバックル。
【請求項３】
バックル本体６等の裏面のベルト挟持板１４等に、針２５を設けたズボンの前側ずり下がり防止ベルトバックル。
【請求項４】
バックル本体１等のベルト挿入辺Ａ等に支柱４３を設け、ズボン本体２１の前開き部側辺２２を挟む為に、支柱４３に、軸２６を介して挟み板４２に圧力を加える為の押圧版４１を設けたズボンの前側ずり下がり防止ベルトバックル。
【請求項５】
バックル本体１等のベルト挿入辺Ａ等に、ズボン本体２１の前開き部側辺２２を挟む為のクリップ４７を設け、クリップ４７の挟み部４４を開くための梃子４８を設けたズボンの前側ずり下がり防止ベルトバックル。
【発明の詳細な説明】
【０００１】
【発明の属する技術の分野】本発明はズボンに使用するベルトバックルに関する。
【０００２】
【従来の技術】従来からズボンの釣り手にベルトを通してバックルで留めていた。
【０００３】
【特許文献１】特許電子図書館で先願類似発明について調査し１３００余の情報を得たが、類似の物件は見あたらなかった。
【０００４】
【発明が解決しようとする課題】従来状況部分斜視図８のベルトに使用されている従来バックル１ａでは、次のような欠点があった。
１．図８に示すようにズボン本体２１の前側での、ずり下がり現象が起きていた。それは、ズボンのお腹周りの余裕を後ろの方へ遣ってあっても、前の方へ弛みが移動して、ずり下がりが起きていた。その解決策で、バックルの真際にズボンの方で釣り手２４を設けた物もあったがファッション上、目障り感が拭えなかった。
２．ズボンのずり下がり現象の為に著しく見苦しかった。
【０００５】
【課題を解決する為の手段】図１．２．３．４．５．６．７．９．１０．１１．１２等は本発明のバックルの斜視図である。図８は従来のベルトバックルをズボンに使用で、ズボンの前側に、ずり下がり現象が起きた状況のズボンの部分斜視図である。１．２．３．４．５．６．７．等はバックル本体である。Ａ．Ｃ．Ｄ．Ｇのベルト挿入辺と、ベルト挟持板１４やバックル心棒Ｅ等に、引っ掛け部８．９．１０等を設けたり、ベルト挿入辺Ａに、押圧版と挟み版を設けたり、クリップを設けて前述課題を解消した。
【０００６】
【発明実施の形態】図１では、バックル本体１のベルト挿入辺Ａに設けたベルト挿入辺Ａを打ち抜き出しで形成した引っ掛け部８を、ズボン本体２１の前開き部側辺２２からフック等２３の下部へズボン布地を挟むように差し込む。ベルト挟持板１４で挟んだベルト３０はズボン本体２１の釣り手２４を介して通し、ズボン本体２１を一周してベルト挿入口１５に挿入して締め、コロ１８で留める。
ズボン本体２１のフック等２３の位置は、前開き部側辺２２から５ｍｍ〜１５ｍｍで上端２８からは１５ｍｍ〜２０ｍｍ位の位置に大抵は着けられているから、引っ掛け部８．９．１０等の長さとしては、差し込み部分で２０ｍｍ〜２５ｍｍ位の長さが要る。フック等２３はボタンの場合もある。が、大略同様である。
【０００７】
【発明の効果】こうすると、ズボン本体２１のフック等２３がバックル本体１の引っ掛け部８に引っ掛かる為ズボン本体２１の前側のずり下がり現象は起きなく解消出来た。従って、ファッション上の見苦しさも解消出来た。
【０００８】
【実施例】１．図２では、引っ掛け部９をベルト挟持板１４に設け、ベルト挿入辺Ａａで形成されたベルト挿入口１５から挿入したベルトをカム１９で留める。ズボン本体２１の前開き部側辺２２からフック等２３の下部へズボンの布地を引っ掛け部９で挟むように差し込む。是でズボン前側のずり下がりを解消した。
２．図３では、引っ掛け部８をベルト挿入辺Ｃに設け、ベルト挿入口１５へ挿入したベルト３０をベルト刺し２０で、あらかじめ設けたベルト３０の穴に刺し留める。ズボン本体２１の前開き部側辺２２からフック等２３の下部へズボンの布地を引っ掛け部８で挟むように差込む。是でズボン前側のずり下がりを解消した。
３．図４では、引っ掛け部８をベルト挿入辺Ｄに設けた。ベルト挿入口１５から挿入したベルト３０をストップ弁１７の開閉を押しボタン１６で操作して留める。ズボン本体２１の前開き部側辺２２からフック等２３の下部へ、ズボンの布地を引っ掛け部８で挟むように差し込む。是でズボン前側のずり下がりを解消した。
４．図５では、引っ掛け部１０をバックル心棒Ｅに可動可能に設けた。ベルト３１はバックル心棒Ｅに巻き付ける部位で、引っ掛け部１０とベルト刺し棒２９の取り付けの為の開口部ａ．ｂを設けた。ベルト３１はバックル心棒Ｅに巻き付けてボタン３２で留めた。ベルト挿入口１５から挿入したベルト３１をベルト刺し棒２９であらかじめ設けたベルト３１の穴に刺し留める。  ズボン本体２１の前開き部側辺２２からフック等２３の下部へ、ズボンの布地を引っ掛け部１０で挟むように差し込む。是でズボン前側のずり下がりを解消した。
５．図６では、バックル本体６の裏側のベルト挟持板１４に針２５を設け、ズボン本体２１の前側の布地に刺すことで、ズボン前側のずり下がりを解消した。ズボン布地の前側の重ね合わせ部の厚みは夏物ズボンでは５ミリ冬物で８ミリ程度である。よって、針２５の長さは１ｍｍ〜５ｍｍでよい。針の場所はバックルの種類によって多少は変化する。
６．図７では、バックル本体７の引っ掛け部８付きのベルト挿入辺Ｇが軸２６で可動可能として、コイルバネ２６で元位置を保持出来るようにした。
ズボン本体２１の前開き部側辺２２からフック等２３の下部へ、ズボンの布地を引っ掛け部８で挟むように差し込む。是でズボン前側のずり下がりを解消した。
７．図９では、バックル本体１等の裏面のベルト挿入辺Ａに支柱４３を設け、切り込み部４５のある挟み板４２の挟み部４４でズボン本体２１の前開き部側辺２２を挟み、支柱４３に軸２６を介して設けた押圧板４１で圧力を加える。切り込み部４５で支柱４３を囲んで、はずれてしまわない為とスライド性を持たせてある。是でズボンの前側ずり下がりは解消される。
８．図１０では、バックル本体１の裏面のベルト挿入辺Ａに曲げ支柱４３ａを設け、曲げ部Ｒにズボン本体２１の前開き部側辺２２を差し込み、押圧板４１で挟む。
９．図１１では、押圧板４１と挟み板４２の接触部を蝶番４６にした。
１０．図１２では、バックル本体１の裏面のベルト挿入辺Ａにクリップ４７を設け、梃子４８を起こしてクリップの挟み部４４を開きズボン本体２１の前開き部側辺２２を挟む。是でズボンの前側ずり下がりは解消される。
【０００９】
【図面の簡単な説明】図１は本発明の斜視図。図２．３．４．５．６．７．９．１０．１１．１２は本発明の実施例の斜視図。図８は従来のベルトバックルのズボンへの使用で、ずり下がった状況図で部分斜視図。
１．２．３．４．５．６．７．はバックル本体。  １ａは従来バックル
８．９．１０は引っ掛け部。１４はベルト挟持板。１５はベルト挿入口
１６は押しボタン。１７はストップ弁。１８はコロ。１９はカム。
２０はベルト刺し。２１はズボン本体。２２は前開き部側辺。２３はフック等。
２４は釣り手。２５は針。２６は軸。２７はコイルバネ。２８は上端。
２９はベルト刺し棒。３０．３１はベルト。３２はボタン。ａ．ｂは開口部。
Ａ．Ｃ．Ｄ．Ｇはベルト挿入辺。Ａａはベルト挿入辺。Ｅはバックル心棒。
４１は押圧板。４２は挟み板。４３は支柱。４３ａは曲げ支柱。４４は挟み部。
４５は切り込み部。４６は蝶番。４７はクリップ。４８は梃子。Ｒは曲げ部。
【図１】
2004344178.tif 000003
【図２】
2004344178.tif 000004
【図３】
2004344178.tif 000005
【図４】
2004344178.tif 000006
【図５】
2004344178.tif 000007
【図６】
2004344178.tif 000008
【図７】
2004344178.tif 000009
【図８】
2004344178.tif 000010
【図９】
2004344178.tif 000011
【図１０】
2004344178.tif 000012
【図１１】
2004344178.tif 000013
【図１２】
2004344178.tif 000014
【手続補正書】
【提出日】平成15年7月25日(2003.7.25)
【手続補正１】
【補正対象書類名】明細書
【補正対象項目名】図面の簡単な説明
【補正方法】変更
【補正の内容】
【図面の簡単な説明】
【図１】は本発明の斜視図。
【図２】は本発明の実施例の斜視図。
【図３】は本発明の実施例の斜視図。
【図４】は本発明の実施例の斜視図。
【図５】は本発明の実施例の斜視図。
【図６】は本発明の実施例の斜視図。
【図７】は本発明の実施例の斜視図。
【図８】は従来のベルトバックルのズボンへの使用で、ずり下がった状況部分斜視図。
【図９】は本発明の実施例の斜視図。
【図１０】は本発明の実施例の斜視図。
【図１１】は本発明の実施例の斜視図。
【図１２】は本発明の実施例の斜視図。
【符号の説明】１．２．３．４．５．６．７はバックル本体。１ａは従来バックル。８．９．１０は引っ掛け部。１４はベルト挟持板。１５は挿入口。１６は押しボタン。１７はストップ弁。１８はコロ。１９はカム。２０はベルト刺し。２１はズボン本体。２２は前開き部側辺。２３はフック等。２４は釣り手。２５は針。２６は軸。２７はコイルバネ。２８は上端。２９はベルト刺し棒。３０．３１はベルト。３２はボタン。ａ．ｂは開口部。Ａ．Ｃ．Ｄ．Ｇはベルト挿入辺。Ａａはベルト挿入辺。４１は押圧版。Ｅはバックル心棒。４２は挟み板。４３は支柱。４３ａは曲げ支柱。４４は挟み部。４５は切り込み部。４６は蝶番。４７はクリップ。４８は梃子。Ｒは曲げ部。